(57)【要約】【課題】帯電器の帯電ワイヤの清掃部材を駆動する駆動モータの長期使用を可能とする画像形成装置を提供する。【解決手段】画像形成装置１００は、帯電器１は駆動装置２とは独立して画像形成装置の装置本体５０から取り出すことが可能であり、駆動装置は、スパイラル軸１２０に対して接離可能なように駆動モータ１１０を揺動可能に支持するモータ支持部材１０４と、モータ支持部材を揺動させて駆動モータをスパイラル軸に向けて付勢するための第１の付勢部材１０５と、帯電器が装置本体内の所定位置に装着されている状態では帯電器に設けられた押さえ部１０１ａをモータ支持部材に押し当てることで帯電器の長手方向の位置を規定し、帯電器が装置本体から取り出される際には駆動モータをスパイラル軸から離間した位置に保持すると共に帯電器を装置本体から取り出される方向に付勢する第２の付勢部材１０３と、を有する構成とする。【選択図】図５
2010224062.tif 000002
【特許請求の範囲】
【請求項１】
コロナ放電により被帯電体を帯電させるための帯電ワイヤが張設された帯電器であって、前記帯電ワイヤを摺擦する清掃部材を保持して前記帯電ワイヤの長手方向に沿って移動可能な清掃部材保持部材と、前記清掃部材保持部材を前記帯電ワイヤの長手方向に沿って移動させるスパイラル軸と、を備えた帯電器と、前記スパイラル軸を回転させるための駆動モータを備えた駆動装置と、を有する画像形成装置において、
前記帯電器は前記駆動装置とは独立して前記画像形成装置の装置本体から取り出すことが可能であり、
前記駆動装置は、前記スパイラル軸に対して接離可能なように前記駆動モータを揺動可能に支持するモータ支持部材と、前記モータ支持部材を揺動させて前記駆動モータを前記スパイラル軸に向けて付勢するための第１の付勢部材と、前記帯電器が前記装置本体内の所定位置に装着されている状態では前記帯電器に設けられた押さえ部を前記モータ支持部材に押し当てることで前記帯電器の長手方向の位置を規定し、前記帯電器が前記装置本体から取り出される際には前記駆動モータを前記スパイラル軸から離間した位置に保持すると共に前記帯電器を前記装置本体から取り出される方向に付勢する第２の付勢部材と、を有することを特徴とする画像形成装置。
【請求項２】
前記帯電器は、前記帯電ワイヤの長手方向の一方の端部と他方の端部をそれぞれ保持する第１及び第２のブロック部材と、前記第１及び第２のブロック部材を結合するように設けられたシールド部材と、を有し、前記帯電器を前記装置本体から取り出される方向に付勢するときに前記第２の付勢部材が接触する前記第１のブロック部材に設けられた受け部は、導電性の材料で形成されており前記シールド部材と前記第１の付勢部材とを導通させることを特徴とする請求項１に記載の画像形成装置。
【請求項３】
前記第１の付勢部材の付勢により前記モータ支持部材に設けられた第１の位置決め部が前記帯電器に突き当たることで前記駆動モータが前記帯電器に対して位置決めされると共に、前記第１の付勢部材の付勢により前記帯電器に設けられた第２の位置決め部が前記帯電器の外部の部材に突き当たることで前記帯電器が当該外部の部材に対して位置決めされることを特徴とする請求項１又は２に記載の画像形成装置。
【発明の詳細な説明】
【技術分野】
【０００１】
本発明は、電子写真方式を用いる複写機、プリンタ、ファクシミリ装置などの画像形成装置に関するものである。
【背景技術】
【０００２】
従来、感光体の表面に静電的に形成したトナー像を紙などの転写材に静電的に転写する工程を含む画像形成装置は周知である。この種の装置では、感光体の表面を一様に帯電させる際、或いは感光体に形成されたトナー像を転写材に転写する際などに電界を形成するために、コロナ放電器（コロナ帯電器）を帯電装置として利用することが広く行われている。
【０００３】
図９は、帯電器を利用した帯電装置の平面図である。このような帯電装置は、感光体の軸線方向のほぼ全長にわたって帯電ワイヤ３０１を張設し、これにバイアス電圧を印加するように構成した帯電器を利用する。
【０００４】
しかしながら、この種の帯電器は帯電ワイヤ３０１が空間に露出しているので、画像形成装置内に存在する塵埃、浮遊トナーなどの異物がこの帯電ワイヤ３０１に付着すると、帯電ムラ、異常放電の発生などを招来して、画質の劣化をもたらすおそれがある。
【０００５】
このような問題を回避するために、帯電ワイヤ３０１を挾持するパッドなどの清掃部材（図示せず）を清掃部材保持部材３０２で保持し、これを帯電ワイヤ３０１に沿って往復動させて帯電ワイヤ３０１をクリーニングするようにしたものがある（特許文献１参照）。
【０００６】
又、上述のようなクリーニング手段を採用する場合に、清掃部材保持部材３０２を次のようにして移動させる構成がある。図１０は、清掃部材保持部材３０２の移動手段の構成を示す。即ち、帯電器の近傍にスパイラル軸３０３を配設し、このスパイラル軸３０３と清掃部材保持部材３０２とを連結する。そして、スパイラル軸３０３を回転駆動することによって、清掃部材保持部材３０２を移動させて、清掃部材保持部材３０２によって保持された清掃部材で帯電ワイヤ３０１を摺擦してクリーニングする。スパイラル軸３０３は、例えば、長手方向にガイドスリット４０４ａを備えた枠体３０４に配設される。スパイラル軸３０３がモータ３０５によって駆動されると、スパイラル軸３０３に螺合された清掃部材保持部材３０２がスパイラル軸３０３に沿って図中左右方向に移動して、清掃部材保持部材３０２に保持された清掃部材による帯電ワイヤ３０１の清掃が行われる。
【先行技術文献】
【特許文献】
【０００７】
【特許文献１】特開平８−１９４３６５号公報
【発明の概要】
【発明が解決しようとする課題】
【０００８】
しかし、従来の帯電器の帯電ワイヤの清掃装置は、駆動モータが帯電器ユニット内に設けられているため、帯電器の寿命と同時に駆動モータも廃棄されていた。
【０００９】
このことは、駆動モータの寿命が帯電器の寿命よりも長い場合には、コスト的に、又資源の有効利用の観点からも好ましくない。
【００１０】
従って、本発明の目的は、帯電器の帯電ワイヤの清掃部材を駆動する駆動モータの長期使用を可能とする画像形成装置を提供することである。
【課題を解決するための手段】
【００１１】
上記目的は本発明に係る画像形成装置にて達成される。要約すれば、本発明は、コロナ放電により被帯電体を帯電させるための帯電ワイヤが張設された帯電器であって、前記帯電ワイヤを摺擦する清掃部材を保持して前記帯電ワイヤの長手方向に沿って移動可能な清掃部材保持部材と、前記清掃部材保持部材を前記帯電ワイヤの長手方向に沿って移動させるスパイラル軸と、を備えた帯電器と、前記スパイラル軸を回転させるための駆動モータを備えた駆動装置と、を有する画像形成装置において、前記帯電器は前記駆動装置とは独立して前記画像形成装置の装置本体から取り出すことが可能であり、前記駆動装置は、前記スパイラル軸に対して接離可能なように前記駆動モータを揺動可能に支持するモータ支持部材と、前記モータ支持部材を揺動させて前記駆動モータを前記スパイラル軸に向けて付勢するための第１の付勢部材と、前記帯電器が前記装置本体内の所定位置に装着されている状態では前記帯電器に設けられた押さえ部を前記モータ支持部材に押し当てることで前記帯電器の長手方向の位置を規定し、前記帯電器が前記装置本体から取り出される際には前記駆動モータを前記スパイラル軸から離間した位置に保持すると共に前記帯電器を前記装置本体から取り出される方向に付勢する第２の付勢部材と、を有することを特徴とする画像形成装置である。
【発明の効果】
【００１２】
本発明によれば、帯電器の帯電ワイヤの清掃部材を駆動する駆動モータの長期使用が可能となる。
【図面の簡単な説明】
【００１３】
【図１】本発明の一実施例に係る画像形成装置の概略断面図である。
【図２】本発明の一実施例における帯電器及び清掃駆動装置を示す正面図である。
【図３】本発明の一実施例における帯電器及び清掃駆動装置を示す左側面図である。
【図４】本発明の一実施例における帯電器を装置本体に装着する前の状態の帯電器及び清掃駆動装置を示す斜視図である。
【図５】本発明の一実施例における帯電器を装置本体に装着した後の状態の帯電器及び清掃駆動装置を示す斜視図である。
【図６】本発明の一実施例において板バネ押し込み部に接地の役割を持たせる構成の一例を説明するための帯電器及び清掃駆動装置の正面図である。
【図７】帯電器の感光体ドラムに対する位置決め方法の一例を説明するための帯電器の周辺の正面図である。
【図８】本発明の一実施例における帯電装置の概略全体構成を示す模式図である。
【図９】従来の帯電装置の一例を示す平面図である。
【図１０】従来の帯電装置の一例を示す模式図である。
【発明を実施するための形態】
【００１４】
以下、本発明に係る画像形成装置を図面に則して更に詳しく説明する。
【００１５】
実施例１
１．画像形成装置の全体構成及び動作
先ず、本発明に係る画像形成装置の一実施例の全体構成及び動作について説明する。図１は本実施例の画像形成装置１００の概略断面図である。本実施例では、画像形成装置１００は、電子写真方式の複写機である。
【００１６】
画像形成装置１００の本体（装置本体）５０の上部には、透明ガラス板からなる原稿台５１が固定して設けられている。原稿圧着板５２は、原稿台５１の所定の位置に画像面を下向きにして載置された原稿Ｑを押圧固定する。原稿台５１の下側には、原稿Ｑを照明するランプ５３、及び、照明した原稿Ｑの光像を画像メモリー部５７に導くための反射ミラー５４、５５、５６と結像レンズ６０とからなる光学系が設けられている。ランプ５３及び反射ミラー５４、５５、５６は、図示矢印ａ方向に所定の速度で移動して原稿Ｑを走査する。
【００１７】
画像形成部には、像担持体としてのドラム型の感光体（電子写真感光体）、即ち、感光体ドラム６１が設けられている。又、画像形成部には、感光体ドラム６１の周囲に次の各手段が設けられている。先ず、感光体ドラム６１の表面を均一に帯電させるための一次帯電手段としての帯電装置６２である。次に、帯電装置６２により帯電された感光体ドラム６１の表面に画像メモリー部５７からの画像情報に従って光像を照射することにより感光体ドラム６１上に静電潜像（静電像）を形成する露光手段としてのスキャナー５８である。次に、スキャナー５８により感光体ドラム６１上に形成された静電潜像を現像して転写材（シート材）Ｓに転写すべきトナー像を形成するための現像手段としての現像装置６３である。次に、感光体ドラム６１の表面に形成されたトナー像を転写材Ｓに転写するための転写手段としての転写帯電装置６８である。次に、感光体ドラム６１からトナー像が転写された転写材Ｓを感光体ドラム６１から分離するための分離帯電装置６９である。次に、トナー像を転写した後に感光体ドラム６１上に残留したトナーを感光体ドラム６１上から除去するためのクリーニング手段としてのクリーナ７５である。又、装置本体５０には、画像形成装置１００の各部の制御を行う制御手段としてのＣＰＵ７６が設けられている。
【００１８】
ここで、例えば、転写材Ｓの片面に画像を形成し、画像面を表向きにして排出する場合の画像形成動作は、次の通りである。
【００１９】
コピースタートボタン（図示せず）が押されると、給送トレイ８１（又は給送トレイ８２）内の転写材Ｓが給送ローラ８５ａ、８５ｂ、８５ｃからなる転写材給送手段８５（給送トレイ８２は転写材給送手段８６）で送り出される。この転写材Ｓは、複数の搬送ローラ対８７で搬送されて、レジストローラ対９５で転写材Ｓの斜送が矯正される。
【００２０】
尚、手差しトレイ８９からの転写材Ｓの供給も可能であり、この場合、手差しトレイ８９上の転写材Ｓは、転写材給送手段を構成する部材９０、給送ローラ９１、９２で送り出され、搬送ローラ対９３で搬送されて、レジストローラ対９５で斜送が矯正される。
【００２１】
斜送が補正された転写材Ｓは、レジストローラ対９５により所定のタイミングで画像形成部の方向へ送り出され、画像形成部にて感光体ドラム６１から転写帯電装置６８の作用によりトナー像が転写される。
【００２２】
画像形成部の下流側には、トナー像が転写された転写材Ｓを搬送するためのベルト搬送部７０と、ベルト搬送部７０により搬送される転写材Ｓ上のトナー像を転写材Ｓに定着するための定着装置７１が設けられている。定着装置７１でトナー像が定着された転写材Ｓは、内排出ローラ対７２を通過し、フラッパ９８の上面にガイドされ、外排出ローラ対７３によって装置本体５０から排出される。装置本体５０の外側には排出トレイ７４が設けられており、外排出ローラ対７３によって排出された転写材Ｓは排出トレイ７４によって受け取られ、画像形成動作が完了する。
【００２３】
２．帯電装置
次に、本実施例における帯電装置６２について説明する。
【００２４】
図８は、本実施例の帯電装置６２の全体の概略構成を示す。帯電装置６２は、帯電ワイヤ１１などを有する帯電器（コロナ帯電器，コロナ放電器）１と、帯電器１の帯電ワイヤ１１を清掃する清掃装置１３を駆動する清掃駆動装置２と、を有する。
【００２５】
帯電器１は断面が略コの字状に形成されたシールド部材としてのシールド板（枠体，シールドケース）１２を有する。又、シールド板１２の長手方向の一方の端部と他方の端部に、前ブロック（第１のブロック部材）１０１と、後ブロック（第２のブロック部材）１０２とがそれぞれ設けられている。前ブロック１０１は、帯電器１を装置本体５０に装着して感光体ドラム６１の長手方向に沿って配置した時に装置本体５０の手前側に位置する帯電器１の長手方向一端部に設けられている。後ブロック１０２は、帯電器１を装置本体５０に装着して感光体ドラム６１の長手方向に沿って配置した時に装置本体５０の奥側に位置する帯電器１の長手方向のもう一方の端部に設けられている。本実施例では、シールド板１２は導電性の金属材料で作製され、前ブロック１０１及び後ブロック１０２は樹脂材料で形成されている。シールド板１２は、前ブロック１０１と後ブロック１０２とを結合するように、前ブロック１０１と後ブロック１０２とに固定されている。
【００２６】
前ブロック１０１と後ブロック１０２との間には、バネによって張力を制御された帯電ワイヤ１１が張設されている。シールド板１２の図中下方は開口しており、これに近接して配置された被帯電体、即ち、本実施例では感光体ドラム６１の表面が帯電ワイヤ１１と対向する。
【００２７】
シールド板１２の図中上方には、前ブロック１０１及び後ブロック１０２のそれぞれに設けられた支持部に軸支されたスパイラル軸１２０が設けられている。スパイラル軸１２０には、帯電器１内において帯電ワイヤ１１を摺擦して清掃する清掃部材（図示せず）を保持する清掃部材保持部材２１が螺合している。清掃部材保持部材２１は、シールド板１２に設けられたスリット１２ａを介して、スパイラル軸１２０と連結されている。清掃部材としては、例えば、帯電ワイヤ１１を挟持するフェルト、スポンジなどの弾性材料で形成されたパッドなどを好適に用いることができる。
【００２８】
本実施例では、清掃部材と、これを保持して移動させる清掃部材保持部材２１と、スパイラル軸１２０と、を有して清掃装置１３が構成される。又、本実施例では、前ブロック１０１と、後ブロック１０２と、帯電ワイヤ１１と、シールド板１２と、清掃装置１３と、を有して帯電器１が構成される。
【００２９】
そして、スパイラル軸１２０の前ブロック１０１側の端部に設けられたスパイラル軸駆動ギア１０９（図２）に清掃駆動装置２から駆動が伝達されて、スパイラル軸１２０が回転する。これによって、スパイラル軸１２０に螺合している清掃部材保持部材２１が、帯電器１の長手方向に沿って移動（往復動）し、清掃部材保持部材２１に保持された清掃部材によって、帯電ワイヤ１１が清掃される。
【００３０】
本実施例では、帯電器１は清掃駆動装置２から独立して装置本体５０に対して着脱可能とされており、例えば帯電器１の寿命による交換が可能となっている。一方、清掃駆動装置２は、帯電器１とは別個に装置本体５０に取り付けられている。
【００３１】
３．清掃駆動装置
次に、図２〜図６を参照して、帯電器１の帯電ワイヤ１１を清掃する清掃装置１３を駆動するための清掃駆動装置２について説明する。
【００３２】
本実施例の目的の一つは、従来帯電器１の寿命と共に廃棄されていた清掃駆動モータ１１０を帯電器１の外部に配置することで、コスト削減を行なうと共に、サービス性の向上を図ることである。
【００３３】
図２は、清掃駆動装置２と、装置本体５０に装着された状態の帯電器１と、を示す正面図である。
【００３４】
帯電器１は、装置本体５０の前側板１１３の切り欠き部１１３ａを通して紙面奥側（図４中矢印Ｂ方向）へ押し込むことで、装置本体５０に装着される。
【００３５】
清掃駆動装置２において、モータ支持部材としてのモータ支持板１０４に、清掃駆動モータ１１０が固定されている。モータ支持板１０４は、支持軸１１２を中心として回動（揺動）可能に前側板１１３に取り付けられている。又、第１の付勢部材としての駆動連結バネ（捻りコイルバネ）１０５によって、モータ支持板１０４は、帯電器１に向けて加圧されている。駆動連結バネ１０５は、その一端部が前側板１１３に設けられた係止部１１３ｂに係合し、他端部がモータ支持板１０４に係合する。
【００３６】
図３は、図２における左側面の清掃駆動モータ１１０周辺の拡大図である。清掃駆動モータ１１０には、第１の駆動伝達部材としてのモータギア１０７が取り付けられている。清掃駆動モータ１１０は、モータギア１０７を介して、モータ支持板１０４に取り付けられている第２の駆動伝達部材としての駆動アイドラギア１０８へ駆動を伝える。本実施例では、駆動アイドラギア１０８に隣接して、駆動アイドラギア１０８と同軸上に、突き当てコロ（第１の位置決め部）１０６が設けられている。突き当てコロ１０６は、駆動アイドラギア１０８と、スパイラル軸１２０の長手方向一端部に設けられたスパイラル軸駆動ギア１０９との、ギア間距離を保証する役割を担う。
【００３７】
図４は、帯電器１を所定の位置に装着する前の状態を、図２における奥側からの視点で示した図である（前側板１１３は図示せず）。又、図５は、帯電器１を所定の位置に装着した状態を、図２における奥側からの視点で示した図である（前側板１１３は図示せず）。
【００３８】
図４を参照して、帯電器１が所定の位置に装着される前の状態から、所定の位置に装着する動作について説明する。帯電器１が所定の位置に装着される前は、前側板１１３に固定された第２の付勢部材としての板バネ（モータ固定バネ）１０３は、自由長の状態にある。この状態で、板バネ１０３の支持部としての曲げ面１０３ａの上に、モータ支持板１０４が乗っている。これにより、駆動アイドラギア１０８とスパイラル軸駆動ギア１０９とが離間している。このように、板バネ１０３は、一つは、清掃駆動モータ１１０をスパイラル軸１２０から離間された（解除された）状態で保持する手段としての役割を担う。
【００３９】
帯電器１が所定の位置に装着される前の状態から、操作者が帯電器１を図示矢印Ｂ方向（装置本体５０の手前側から奥側に向けて）へ押し込むと、板バネ１０３が前ブロック１０１のバネ受け部としての板バネ押し込み部１０１ｂにより図示矢印Ｂ方向へ押される。これにより、板バネ１０３の曲げ面１０３ａ上に乗っていたモータ支持板１０４が、支持を失って、駆動連結バネ１０５によって支持軸１１２を中心としてスパイラル軸１２０の方向（矢印Ｃ方向）へと回動する。そして、前ブロック１０１の突き当て部１０１ｃに突き当てコロ１０６が突き当たる（図３）。これにより、駆動アイドラギア１０８とスパイラル軸駆動ギア１０９とのギア間距離が保証される。
【００４０】
以上の動作により、図５に示すような帯電器１が所定の位置に装着された状態となる。前ブロック１０１は、板バネ押し込み部１０１ｂが板バネ１０３によって図示矢印Ａ方向へ（装置本体５０の奥側から手前側に向けて）加圧されることによって同方向に付勢される。しかし、このとき、前ブロック１０１の押さえ部としての位置決め面１０１ａが、駆動連結バネ１０５によりスパイラル軸１２０の方向へと回動したモータ支持板１０４の面（規制部）に突き当たるため（図３）、帯電器１の長手方向の位置が固定される。このように、板バネ１０３は、一つは、帯電器１の長手方向の位置を規定する手段としての役割を担う。
【００４１】
尚、図６に示すように、上記板バネ押し込み部１０１ｂとして、前ブロック１０１とは別部材の導電性材料で形成した押し込み板材２０１を用いることができる。そして、この押し込み板材２０１とシールド板１２とをバリスタ２０２を介して導通させることで、帯電器１を装置本体５０に設置したときに、シールド板１２が板バネ１０３と導通して、シールド板１２への過電流を防止することができる。つまり、このような構成とすることで、板バネ押し込み部１０１ｂに接地の役割を持たせることができる。
【００４２】
次に、図５を参照して、帯電器１の取り外し時の動作について説明する。操作者がモータ支持板１０４を図示矢印Ｄ方向へ、即ち、スパイラル軸１２０から離間する方向へと回動させると、位置決め面１０１ａとモータ支持板１０４の面との当接が解除されて、板バネ１０３が自由長の位置まで復帰する。それにより、前ブロック１０１の板バネ押し込み部１０１ｂが図示矢印Ａ方向へ加圧され、帯電器１が図示矢印Ａ方向へ引き出される。このように、板バネ１０３は、一つは、帯電器１を装置本体５０から取り出される方向に付勢する手段としての役割を担う。又、板バネ１０３が自由長の位置まで復帰したことで、モータ支持板１０４が板バネ１０３の曲げ面１０３ａ上に乗って、支持される。
【００４３】
尚、モータ支持板１０４の回動は、モータ支持板１０４に連結されたレバーなどを操作者が操作することで行えるようになっていてよい。
【００４４】
次に、図７を参照して、帯電器１の感光体ドラム６１の方向への位置決めについて説明する。本実施例では、帯電器１に突出部（第２の位置決め部）１０１ｄを設け、これを感光体ドラム６１側の突き当て部材６１ａに突き当てて、帯電器１を感光体ドラム６１に対し位置決めする。突き当て部材６１ａは、感光体ドラム６１の軸に嵌合して設けられている。
【００４５】
即ち、本実施例では、帯電器１を装置本体５０に装着した際、清掃駆動装置２の突き当てコロ１０６が前ブロック１０１の突き当て部１０１ｃに突き当たることで帯電器１を感光体ドラム６１の方向に加圧することを利用する。これにより、帯電器１の突出部１０１ｄを突き当て部材６１ａに加圧して突き当てて、帯電器１を感光体ドラム６１に対して位置決めする。
【００４６】
尚、上記前ブロック１０１側と同様に、後ブロック１０２側にも加圧バネ（図示せず）を配置して、帯電器１を装着することでこの加圧バネにより帯電器１を加圧して、感光体ドラム６１側の突き当て部材に突き当てる構成にすることができる。これにより、更に良好に帯電器１と感光体ドラム６１とのの距離を規定することができる。
【００４７】
このように、本実施例の画像形成装置１００は、コロナ放電により被帯電体を帯電させるための帯電ワイヤ１１が張設された帯電器１を有する。この帯電器１は、帯電ワイヤ１１を摺擦する清掃部材を保持して帯電ワイヤ１１の長手方向に沿って移動可能な清掃部材保持部材２１を有する。又、この帯電器１は、清掃部材保持部材２１を帯電ワイヤ１１の長手方向に沿って移動させるスパイラル軸１２０を有する。又、画像形成装置１００は、スパイラル軸１２０を回転させるための駆動モータ１１０を備えた駆動装置２を有する。そして、帯電器１は駆動装置２とは独立して装置本体５０から取り出すことが可能となっている。この駆動装置２は、スパイラル軸１２０に対して接離可能なように駆動モータ１１０を揺動可能に支持するモータ支持部材１０４を有する。又、駆動装置２は、モータ支持部材１０４を揺動させて駆動モータ１１０をスパイラル軸１２０に向けて付勢するための第１の付勢部材１０５を有する。更に、駆動装置２は、第２の付勢部材１０３を有する。第２の付勢部材１０３は、帯電器１が装置本体内の所定位置に装着されている状態では帯電器１に設けられた押さえ部１０１ａをモータ支持部材１０４に押し当てることで帯電器１の長手方向の位置を規定する。加えて、第２の付勢部材１０５は、帯電器１が装置本体５０から取り出される際には駆動モータ１１０をスパイラル軸１２０から離間した位置に保持すると共に帯電器１を装置本体５０から取り出される方向に付勢する。
【００４８】
つまり、本実施例によれば、画像形成装置１００には、スパイラル軸１２０を回転させるための駆動モータ１１０を帯電器１の外部に配置し、この駆動モータ１１０を支持し、揺動してスパイラル軸１２０から離間させるためのモータ支持板１０４を設ける。又、モータ支持板１０４をスパイラル軸１２０側に揺動させて加圧するための捻りバネ１０５と、モータ支持板１０４をスパイラル軸１２０から離間した位置で支持するための板バネ１０３と、を設ける。更に、板バネ１０３に接触することで帯電器１を装置本体５０の前方に押し出すバネ受け部１０１ｂと、バネ受け部１０１ｂによって帯電器１が前方に飛び出てくるのを抑えるための押さえ部１０１ａと、を備えた前ブロック部材１０１を設ける。
【００４９】
以上、本実施例によれば、帯電器１の帯電ワイヤ１１を清掃する清掃装置１３を駆動するための清掃駆動装置２は、駆動モータ１１０を帯電器１の外部に配置することで、駆動モータの長期使用を可能とし、コスト削減を図ることができる。又、スパイラル軸１２０側のギアと駆動モータ１１０側のギアとの間の距離を保証するために駆動モータ１１０を揺動可能とすることで、小型化を図った上で画像形成装置１００の正面からの帯電器１の着脱を可能とすることができる。更に、本実施例によれば、帯電器１を装置本体５０に装着した際に、板バネ１０３、駆動連結バネ１０５の働きにより、帯電器１を所定の位置に配置し、又容易に取り出すことができるので、ビスレスとすることでサービス性の維持を図ることができる。
【符号の説明】
【００５０】
１              帯電器
２              清掃駆動装置
１１            帯電ワイヤ
１２            シールド板
１３            清掃装置
２１            清掃部材保持部材
６１            感光体ドラム
６２            帯電装置
１０１          前ブロック
１０３          モータ固定バネ（板バネ）
１０４          モータ支持板
１０５          駆動連結バネ（捻りコイルバネ）
１０６          突き当てコロ
１０７          モータギア
１０８          駆動アイドラギア
１０９          スパイラル軸駆動ギア
１１０          清掃駆動モータ
１１３          前側板
１２０          スパイラル軸
【図１】
2010224062.tif 000003
【図２】
2010224062.tif 000004
【図３】
2010224062.tif 000005
【図４】
2010224062.tif 000006
【図５】
2010224062.tif 000007
【図６】
2010224062.tif 000008
【図７】
2010224062.tif 000009
【図８】
2010224062.tif 000010
【図９】
2010224062.tif 000011
【図１０】
2010224062.tif 000012